(57)【要約】  ＶＲ酔いを抑制しながら広視野角の画像を表示する画像表示システムを提供する。  画像出力装置（２００）から提供する原画像の視野角ＦＯＶO の方が画像表示装置（３００）を装着したユーザーが観察する画像の視野角ＦＯＶD よりも大きいときには、画像出力装置（２００）は、原画像から視野角ＦＯＶD の領域を切り出して、画像表示装置（３００）に送出する。また、画像表示装置（３００）を装着したユーザーが観察する画像の視野角ＦＯＶD が画像出力装置（２００）から提供する原画像の視野角ＦＯＶO 以上のときには、画像出力装置（２００）は原画像をそのまま画像表示装置（３００）に送出する。
2015107817.tif 000002
【特許請求の範囲】
【請求項１】
画像を表示する表示部と、  前記表示部における画像表示の属性を含む属性情報を記憶する属性情報記憶部と、  画像出力装置と通信する通信部と、を具備し、  前記画像出力装置に前記属性情報を送信するとともに、前記画像出力装置が前記属性情報に基づいて変換した画像を受信して、前記表示部で表示する、画像表示装置。
【請求項２】
前記表示部が表示する画像を観察する観察者の顔又は頭部に装着して用いられる、請求項１に記載の画像表示装置。
【請求項３】
前記表示部は、画像を表示する表示パネルと、前記表示パネルに表示した画像を拡大投影する虚像光学部を備える、請求項２に記載の画像表示装置。
【請求項４】
前記属性情報記憶部は、前記表示部が表示する画像が持つ第１の視野角の情報を記憶し、  前記画像出力装置に前記第１の視野角の情報を送信するとともに、前記画像出力装置が前記第１の視野角に基づいて変換した画像を受信して、前記表示部で表示する、請求項１に記載の画像表示装置。
【請求項５】
前記画像出力装置側で原画像の第２の視野角と前記第１の視野角との相違に基づいて原画像を変換した画像を受信して、前記表示部で表示する、請求項４に記載の画像表示装置。
【請求項６】
前記第２の視野角が前記第１の視野角よりも大きいときに、前記画像出力装置が前記原画像から前記第１の視野角の領域を切り出した画像を受信して、前記表示部で表示する、請求項５に記載の画像表示装置。
【請求項７】
前記第１の視野角が前記第２の視野角以上のときに、前記画像出力装置から前記原画像を受信して、前記表示部で表示する、請求項５に記載の画像表示装置。
【請求項８】
前記画像出力装置から受信した画像を、前記第１の視野角と前記第２の視野角の関係に基づいて前記表示部で表示する、請求項５に記載の画像表示装置。
【請求項９】
前記第２の視野角が前記第１の視野角よりも大きく、前記原画像から前記第１の視野角の領域を切り出された画像を、前記表示部で全画面表示する、請求項８に記載の画像表示装置。
【請求項１０】
前記第１の視野角よりも小さい前記第２の視野角からなる画像を前記表示部で表示するときに、余剰の領域を黒で塗り潰し又は壁紙を表示する、請求項８に記載の画像表示装置。
【請求項１１】
前記第１の視野角よりも小さい前記第２の視野角からなる画像を前記第１の視野角まで引き伸ばして前記表示部で表示する、請求項８に記載の画像表示装置。
【請求項１２】
前記第１の視野角よりも小さい前記第２の視野角からなる画像を前記画像出力装置から受信したときに、観察者からの指示、観察者の属性情報、又は原画像に付加された指示に基づいた方法に従って前記表示部で表示する、請求項８に記載の画像表示装置。
【請求項１３】
画像表示の属性を含む属性情報を画像出力装置に送信するステップと、  前記属性情報に基づいて変換した画像を前記画像出力装置から受信するステップと、  受信した画像を表示するステップと、を有する画像表示方法。
【請求項１４】
画像表示装置と通信する通信部と、  前記画像表示装置に提供するための原画像を取得する画像取得部と、  前記原画像を処理する画像処理部と、を具備し、  画像表示の属性を含む属性情報を前記画像表示装置から受信し、前記画像処理部が前記属性情報に基づいて前記原画像を変換し、変換後の画像を前記画像表示装置に送信する、画像出力装置。
【請求項１５】
前記画像表示装置が表示する画像が持つ第１の視野角の情報を受信し、前記画像処理部が前記原画像の第２の視野角と前記第１の視野角との相違に基づいて前記原画像を変換し、変換後の画像を前記画像表示装置に送信する、請求項１４に記載の画像出力装置。
【請求項１６】
前記画像処理部は、前記第２の視野角が前記第１の視野角よりも大きいときに、前記原画像から前記第１の視野角の領域を切り出す、請求項１５に記載の画像出力装置。
【請求項１７】
前記画像処理部は、前記第１の視野角が前記第２の視野角以上のときには、視野角の相違に基づく原画像の変換を行なわない、請求項１５に記載の画像出力装置。
【請求項１８】
前記画像表示装置は前記属性情報をＥＤＩＤ（Ｅｘｔｅｎｄｅｄ  Ｄｉｓｐｌａｙ  Ｉｄｅｎｔｉｆｉｃａｔｉｏｎ  Ｄａｔａ）又はその他の所定のデータ・フォーマットに従って記憶しており、  ＤＤＣ（Ｄｉｓｐｌａｙ  Ｄａｔａ  Ｃｈａｎｎｅｌ）又はその他の所定のプロトコルに従って前記通信部を介して前記画像表示装置から前記属性情報を取得する、請求項１４に記載の画像出力装置。
【請求項１９】
画像表示装置に提供するための原画像を取得するステップと、  画像表示の属性を含む属性情報を前記画像表示装置から受信するステップと、  前記属性情報に基づいて前記原画像を変換するステップと、  変換後の画像を前記画像表示装置に送信するステップと、を有する画像出力方法。
【請求項２０】
画像表示の属性を含む属性情報を持つ画像表示装置と、  前記画像表示装置から取得した属性情報に基づいて変換した画像を前記画像表示装置に出力する画像出力装置と、を具備する画像表示システム。
【発明の詳細な説明】
【技術分野】
【０００１】  本明細書で開示する技術は、画像出力装置から提供される画像を表示する画像表示装置及び画像表示方法、画像表示装置に画像を提供する画像出力装置及び画像出力方法、並びに、画像表示装置と画像出力装置からなる画像表示システムに係り、特に、広視野角の画像を表示する画像表示装置及び画像表示方法、画像出力装置及び画像出力方法、並びに画像表示システムに関する。
【背景技術】
【０００２】  頭部又は顔部に装着して画像の視聴に利用される画像表示装置、すなわち、ヘッド・マウント・ディスプレイが知られている。ヘッド・マウント・ディスプレイは、例えば左右の眼毎に画像表示部が配置され、虚像光学系により表示画像の拡大虚像を形成することで、ユーザーは臨場感のある画像を観察することができる。ヘッド・マウント・ディスプレイの人気は極めて高い。今後量産が進めば、携帯電話やスマートフォン、携帯ゲーム機のように普及し、１人が１台のヘッド・マウント・ディスプレイを所持するようになるかもしれない。【０００３】  大画面ＴＶやヘッド・マウント・ディスプレイで画像を視聴する場合、視界の大部分をその画像が占めることになる。このような場合、ヴァーチャル・リアリティー（ＶＲ）酔いとも呼ばれる、酔いの症状が発生することが知られている。ＶＲ酔いの原因は、提供される画像の視野角（ＦＯＶ：Ｆｉｅｌｄ  ｏｆ  Ｖｉｅｗ）と観察者が体感する視野角との不一致や、画像で提示される奥行き観察者が体感する奥行きとの不一致などとも言われている。とりわけ、ヘッド・マウント・ディスプレイのように、自分視点（Ｆｉｒｓｔ  ｐｅｒｓｏｎ  Ｖｉｅｗ：ＦＰＶ）の画像を観察する画像表示装置、あるいは、画面が観察者の顔に固定される画像表示装置の場合、ＶＲ酔いを起こし易い。【０００４】  例えば、利用者によるＶＲ酔いの主観申告入力又は生理指標計測による利用者のＶＲ酔い判定に応じて、ＶＲシステムによって提示される仮想空間の映像の刺激強度を低下させる酔い対応過程を備えたＶＲ酔い低減方法について提案がなされている。
【発明の概要】
【発明が解決しようとする課題】
【０００５】  本明細書で開示する技術の目的は、ＶＲ酔いを抑制しながら広視野角の画像を表示又は出力することができる、優れた画像表示装置及び画像表示方法、画像出力装置及び画像出力方法、並びに画像表示システムを提供することにある。
【課題を解決するための手段】
【０００６】  本願は、上記課題を参酌してなされたものであり、請求項１に記載の技術は、  画像を表示する表示部と、  前記表示部における画像表示の属性を含む属性情報を記憶する属性情報記憶部と、  画像出力装置と通信する通信部と、を具備し、  前記画像出力装置に前記属性情報を送信するとともに、前記画像出力装置が前記属性情報に基づいて変換した画像を受信して、前記表示部で表示する、画像表示装置である。【０００７】  本願の請求項２に記載の技術によれば、請求項１に記載の画像表示装置は、前記表示部が表示する画像を観察する観察者の顔又は頭部に装着して用いられるように構成されている。【０００８】  本願の請求項３に記載の技術によれば、請求項２に記載の画像表示装置の前記表示部は、画像を表示する表示パネルと、前記表示パネルに表示した画像を拡大投影する虚像光学部を備えている。【０００９】  本願の請求項４に記載の技術によれば、請求項１に記載の画像表示装置の前記属性情報記憶部は、前記表示部が表示する画像が持つ第１の視野角の情報を記憶している。そして、前記画像出力装置に前記第１の視野角の情報を送信するとともに、前記画像出力装置が前記第１の視野角に基づいて変換した画像を受信して、前記表示部で表示するように構成されている。【００１０】  本願の請求項５に記載の技術によれば、請求項４に記載の画像表示装置は、前記画像出力装置側で原画像の第２の視野角と前記第１の視野角との相違に基づいて原画像を変換した画像を受信して、前記表示部で表示するように構成されている。【００１１】  本願の請求項６に記載の技術によれば、請求項５に記載の画像表示装置は、前記第２の視野角が前記第１の視野角よりも大きいときに、前記画像出力装置が前記原画像から前記第１の視野角の領域を切り出した画像を受信して、前記表示部で表示するように構成されている。【００１２】  本願の請求項７に記載の技術によれば、請求項５に記載の画像表示装置は、前記第１の視野角が前記第２の視野角以上のときに、前記画像出力装置から前記原画像を受信して、前記表示部で表示するように構成されている。【００１３】  本願の請求項８に記載の技術によれば、請求項５に記載の画像表示装置は、前記画像出力装置から受信した画像を、前記第１の視野角と前記第２の視野角の関係に基づいて前記表示部で表示するように構成されている。【００１４】  本願の請求項９に記載の技術によれば、請求項８に記載の画像表示装置は、前記第２の視野角が前記第１の視野角よりも大きく、前記原画像から前記第１の視野角の領域を切り出された画像を、前記表示部で全画面表示するように構成されている。【００１５】  本願の請求項１０に記載の技術によれば、請求項８に記載の画像表示装置は、前記第１の視野角よりも小さい前記第２の視野角からなる画像を前記表示部で表示するときに、余剰の領域を黒で塗り潰し又は壁紙を表示するように構成されている。【００１６】  本願の請求項１１に記載の技術によれば、請求項８に記載の画像表示装置は、前記第１の視野角よりも小さい前記第２の視野角からなる画像を前記第１の視野角まで引き伸ばして前記表示部で表示するように構成されている。【００１７】  本願の請求項１２に記載の技術���よれば、請求項８に記載の画像表示装置は、前記第１の視野角よりも小さい前記第２の視野角からなる画像を前記画像出力装置から受信したときに、観察者からの指示、観察者の属性情報、又は原画像に付加された指示に基づいた方法に従って前記表示部で表示するように構成されている。【００１８】  また、本願の請求項１３に記載の技術は、  画像表示の属性を含む属性情報を画像出力装置に送信するステップと、  前記属性情報に基づいて変換した画像を前記画像出力装置から受信するステップと、  受信した画像を表示するステップと、を有する画像表示方法である。【００１９】  また、本願の請求項１４に記載の技術は、  画像表示装置と通信する通信部と、  前記画像表示装置に提供するための原画像を取得する画像取得部と、  前記原画像を処理する画像処理部と、を具備し、  画像表示の属性を含む属性情報を前記画像表示装置から受信し、前記画像処理部が前記属性情報に基づいて前記原画像を変換し、変換後の画像を前記画像表示装置に送信する、画像出力装置である。【００２０】  本願の請求項１５に記載の技術によれば、請求項１４に記載の画像出力装置は、前記画像表示装置が表示する画像が持つ第１の視野角の情報を受信し、前記画像処理部が前記原画像の第２の視野角と前記第１の視野角との相違に基づいて前記原画像を変換し、変換後の画像を前記画像表示装置に送信するように構成されている。【００２１】  本願の請求項１６に記載の技術によれば、請求項１５に記載の画像出力装置の前記画像処理部は、前記第２の視野角が前記第１の視野角よりも大きいときに、前記原画像から前記第１の視野角の領域を切り出すように構成されている。【００２２】  本願の請求項１７に記載の技術によれば、請求項１５に記載の画像出力装置の前記画像処理部は、前記第１の視野角が前記第２の視野角以上のときには、視野角の相違に基づく原画像の変換を行なわないように構成されている。【００２３】  本願の請求項１８に記載の技術によれば、前記画像表示装置は前記属性情報をＥＤＩＤ（Ｅｘｔｅｎｄｅｄ  Ｄｉｓｐｌａｙ  Ｉｄｅｎｔｉｆｉｃａｔｉｏｎ  Ｄａｔａ）又はその他の所定のデータ・フォーマットに従って記憶している。そして、請求項１４に記載の画像出力装置は、ＤＤＣ（Ｄｉｓｐｌａｙ  Ｄａｔａ  Ｃｈａｎｎｅｌ）又はその他の所定のプロトコルに従って前記通信部を介して前記画像表示装置から前記属性情報を取得するように構成されている。【００２４】  また、本願の請求項１９に記載の技術は、  画像表示装置に提供するための原画像を取得するステップと、  画像表示の属性を含む属性情報を前記画像表示装置から受信するステップと、  前記属性情報に基づいて前記原画像を変換するステップと、  変換後の画像を前記画像表示装置に送信するステップと、を有する画像出力方法である。【００２５】  また、本願の請求項２０に記載の技術は、  画像表示の属性を含む属性情報を持つ画像表示装置と、  前記画像表示装置から取得した属性情報に基づいて変換した画像を前記画像表示装置に出力する画像出力装置と、を具備する画像表示システムである。【００２６】  但し、ここで言う「システム」とは、複数の装置（又は特定の機能を実現する機能モジュール）���論理的に集合した物のことを言い、各装置や機能モジュールが単一の筐体内にあるか否かは特に問わない。
【発明の効果】
【００２７】  本明細書で開示する技術によれば、提供される画像の視野角と観察者が体感する視野角の不一致を補正することにより、ＶＲ酔いを抑制しながら広視野角の画像を表示することができる、優れた画像表示装置及び画像表示方法、画像出力装置及び画像出力方法、並びに画像表示システムを提供することができる。【００２８】  また、本明細書で開示する技術によれば、画像出力装置側で提供する画像の視野角と画像表示装置が表示する画像の視野角の不一致を補正することにより、ＶＲ酔いを抑制しながら広視野角の画像を表示することができる、優れた画像表示装置及び画像表示方法、画像出力装置及び画像出力方法、並びに画像表示システムを提供することができる。【００２９】  なお、本明細書に記載された効果は、あくまでも例示であり、本発明の効果はこれに限定されるものではない。また、本発明が、上記の効果以外に、さらに付加的な効果を奏する場合もある。【００３０】  本明細書で開示する技術のさらに他の目的、特徴や利点は、後述する実施形態や添付する図面に基づくより詳細な説明によって明らかになるであろう。
【図面の簡単な説明】
【００３１】
【図１】図１は、本明細書で開示する技術を適用した画像表示システム１００の構成例を模式的に示した図である。
【図２】図２は、画像表示システム１００において画像出力装置２００として機能する装置の内部構成を模式的に示した図である。
【図３】図３は、画像表示システム１００において画像表示装置３００として機能する装置の内部構成を模式的に示した図である。
【図４】図４は、画像出力装置２００が提供する画像の視野角ＦＯＶOと、画像表示装置３００のユーザーが観察する視野角ＦＯＶDを一致させる処理を説明するための図である。
【図５】図５は、画像出力装置２００が提供する画像の視野角ＦＯＶOと、画像表示装置３００のユーザーが観察する視野角ＦＯＶDを一致させる処理を説明するための図である。
【図６】図６は、画像出力装置２００から送られてきた画像を画像表示装置３００側で表示する処理を説明するための図である。
【図７】図７は、画像出力装置２００から送られてきた画像を画像表示装置３００側で表示する処理を説明するための図である
【図８】図８は、画像出力装置２００から送られてきた画像を画像表示装置３００側で表示する処理を説明するための図である。
【図９】図９は、画像出力装置２００から画像を送出して画像表示装置３００で表示する画像表示システム１００の動作シーケンス例を示した図である。
【図１０】図１０は、図９中のＳＥＱ９０３で画像出力装置２００において実行される、画像のフォーマット変換処理の手順を示したフローチャートである。
【図１１】図１１は、図９中のＳＥＱ９０５で画像表示装置３００において実行される画像の表示処理の手順を示したフローチャートである。
【図１２】図１２は、画像出力装置２００から画像を送出して画像表示装置３００で表示する画像表示システム１００の他の動作シーケンス例を示した図である。
【図１３】図１３は、図１２中のＳＥＱ１２０３で画像出力装置２００において実行される、歪み補正テーブルの切り替え及び画像変換の処理の手順を示したフローチャートである。
【発明を実施するための形態】
【００３２】  以下、図面を参照しながら本明細書で開示する技術の実施形態について詳細に説明する。
【００３３】  図１には、本明細書で開示する技術を適用した画像表示システム１００の構成例を模式的に示している。図示の画像表示システム１００は、画像表示装置３００に画像を提供する画像出力装置２００と、画像出力装置２００から提供される画像を表示する画像表示装置３００で構成され、画像表示装置３００の観察者に対して広視野角の画像を提供することを想定している。
【００３４】  画像の供給元となる画像出力装置２００は、パーソナル・コンピューターやスマートフォン、タブレットなどの情報端末２００−１や、ブルーレイ（登録商標）などのメディアから画像を再生するメディア再生装置２００−２、セットトップボックス若しくはＴＶチューナー２００−３などを想定している。
【００３５】  また、画像の提供先である画像表示装置３００として、ヘッド・マウント・ディスプレイやヘッド・アップ・ディスプレイのように、画面が観察者の顔又は頭に固定され、自分視点の画像を表示する表示装置を想定している。勿論、大画面ディスプレイなど一般的な表示装置を画像表示装置３００に含めることもできる。
【００３６】  画像再生装置２００と画像表示装置３００とは、例えば、ＤＶＩ（Ｄｉｇｉｔａｌ  Ｖｉｓｕａｌ  Ｉｎｔｅｒｆａｃｅ）やＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、Ｄｉｓｐｌａｙ  ｐｏｒｔのようなインターフェース規格に則ったケーブル４００−１、４００−２、４００−３を介して相互接続されている。勿論、画像再生装置２００と画像表示装置３００間は、有線のケーブル４００ではなく、Ｗｉ−Ｆｉ（登録商標）（Ｗｉｒｅｌｅｓｓ  Ｆｉｄｅｌｉｔｙ）やＢｌｕｅｔｏｏｔｈ（登録商標）通信、ＢＬＥ（Ｂｌｕｅｔｏｏｔｈ（登録商標）  Ｌｏｗ  Ｅｎｅｒｇｙ）通信などの無線通信により相互接続されていてもよい。あるいは、有線と無線を併用して画像出力装置２００と画像表示装置３００を相互接続するようにしてもよい。
【００３７】  本実施形態では、画像再生装置２００から画像表示装置３００へ、非圧縮の画像データが伝送されることを想定している。勿論、Ｈ２６４、ＶＣ１、ＭＰＥＧ（Ｍｏｖｉｎｇ  Ｐｉｃｔｕｒｅ  Ｅｘｐｅｒｔｓ  Ｇｒｏｕｐ）２、ＪＰＥＧ（Ｊｏｉｎｔ  Ｐｈｏｔｏｇｒａｐｈｉｃ  Ｅｘｐｅｒｔｓ  Ｇｒｏｕｐ）などのアルゴリズムに従って圧縮された形式で画像データを画像再生装置２００から画像表示装置３００へ伝送する場合であっても、同様に、本明細書で開示する技術を適用することができる。
【００３８】  図２には、画像表示システム１００において画像出力装置２００として機能する装置の内部構成を模式的に示している。上述したように、画像出力装置２００は、画像表示装置３００への画像の供給元であり、本実施形態では、パーソナル・コンピューターやスマートフォン、タブレットなどの情報端末２００−１や、ブルーレイ（登録商標）などのメディアから画像を再生する画像再生装置２００−２、セットトップボックス若しくはＴＶチューナー２００−３などを想定している。
【００３９】  図２に示す画像出力装置２００は、制御部２０１と、属性情報記憶部２０２と、画像取得部２０３と、画像処理部２０４と、通信部２０５を備えている。
【００４０】  制御部２０１は、例えばＣＰＵ（Ｃｅｎｔｒａｌ  Ｐｒｏｃｅｓｓｉｎｇ  Ｕｎｉｔ）とＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）などで構成され、画像出力装置２００内の動作を統括的にコントロールする。
【００４１】  属性情報記憶部２０２は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの不揮発性メモリーで構成され、属性情報を記憶する。属性情報として、画像出力装置２００が扱う画像の解像度やフレームレート、製造業者識別情報（ＶｅｎｄｏｒＩＤ）、製品識別情報（ＰｒｏｄｕｃｔＩＤ）などを含む。このような属性情報を記憶するファイル・フォーマットとしてＥＤＩＤ（Ｅｘｔｅｎｄｅｄ  Ｄｉｓｐｌａｙ  Ｉｄｅｎｔｉｆｉｃａｔｉｏｎ  Ｄａｔａ）を利用することができるが、特にこれに限定される訳ではない。
【００４２】  本実施形態では、ＥＤＩＤを拡張して、以下に挙げるような、画像出力装置２００が扱う画像や音声に関する属性情報を属性情報記憶部２０２に記憶するものとする。画像表示に関する属性情報として、画像出力装置２００が画像表示装置３００に送出する原画像の視野角（ＦＯＶO）も含む点に十分留意されたい。
【００４３】（１）画像表示に関する属性情報  ・解像度  ・画像の形状、アスペクト比  ・フレームレート（周波数）  ・視野角（両眼、片眼毎、オーバーラップ量を含む）  ・歪み情報  ・眼間距離や視力  ・色域、輝度、ガンマ  ・原画像の視野と画像表示装置３００で観察する視野が異なるときに、画像を引き伸ばすか否か  ・テキスト表示にまつわる情報  ・表示位置、面積、フォント、サイズ、カラー、…  ・信号入力から表示されるまでの遅延時間（映像だけに限らず）（２）音声出力に関する属性情報  ・ヘッドフォン又はスピーカーのいずれか  ・ヘッドフォン又はスピーカーの数
【００４４】  画像取得部２０３は、画像表示装置３００に提供する画像データを取得する。画像出力装置２００がパーソナル・コンピューターやスマートフォン、タブレットなどの情報端末の場合、画像取得部２０３は、例えばインターネット上のコンテンツ・サーバーなどから画像コンテンツをストリーミングなどにより受信する。また、画像出力装置２００がブルーレイ（登録商標）などのメディア再生装置の場合には、画像取得部２０３は、メディアから画像データの読み出しを行なう。また、画像出力装置２００がセットトップボックス若しくはＴＶチューナーの場合には、画像取得部２０３は、放送コンテンツを選局し、受信する。画像表示装置３００に提供するために画像取得部２０３が取得した原画像の視野角を、以下ではＦＯＶOとする。
【００４５】  画像処理部２０４は、画像取得部２０３が取得した画像データを画像表示装置３００で表示するのに適した形式に画像データを変換する処理を行なう。ここで言う変換処理として、視野角の調整を行なうが、その詳細については後述に譲る。
【００４６】  通信部２０５は、画像処理部２０４で処理後の画像データを、ケーブル４００を介して画像表示装置３００に伝送する。通信部２０５の構成は任意である。例えば、通信相手である画像表示装置３００との通信に適用する通信プロトコルに従って通信部２０５を構成することができる。本実施形態では、ＤＶＩやＨＤＭＩ（登録商標）、Ｄｉｓｐｌａｙ  ｐｏｒｔなどのインターフェース規格に則って通信部２０５を構成することを想定している。
【００４７】  図３には、画像表示システム１００において画像表示装置３００として機能する装置の内部構成を模式的に示している。上述したように、画像表示装置３００は、画像出力装置２００から提供される画像を表示するが、ヘッド・マウント・ディスプレイやヘッド・アップ・ディスプレイのように、画面が観察者の顔又は頭に固定され、自分視点の画像を表示する表示装置を想定している。
【００４８】  制御部３０１は、ＲＯＭ（Ｒｅａｄ  Ｏｎｌｙ  Ｍｅｍｏｒｙ）３０１ＡやＲＡＭ（Ｒａｎｄｏｍ  Ａｃｃｅｓｓ  Ｍｅｍｏｒｙ）３０１Ｂを備えている。ＲＯＭ３０１Ａ内には、制御部３０１で実行するプログラム・コードや各種データを格納している。制御部３０１は、ＲＡＭ３０１Ｂへロードしたプログラムを実行することで、画像の表示制御を始め、画像表示装置３００全体の動作を統括的にコントロールする。ＲＯＭ３０１Ａに格納するプログラムやデータとして、動画像コンテンツの再生など画像の表示制御プログラムや、画像提供元である画像出力装置２００など外部機器と所定の通信プロトコルに従って通信する通信制御プログラムなどを挙げることができる。
【００４９】  入力操作部３０２は、キーやボタン、スイッチなど、ユーザーが入力操作を行なう１以上の操作子（いずれも図示しない）を備え、操作子を介したユーザーの指示を受け付けて、制御部３０１に出力する。また、入力操作部３０２は、リモコン受信部３０３で受信したリモコン・コマンドからなるユーザーの指示を受け付けて、制御部３０１に出力する。
【００５０】  状態情報取得部３０４は、当該画像表示装置３００本体、又は当該画像表示装置３００を装着したユーザー（表示画像の観察者）の状態情報を取得する機能モジュールである。状態情報取得部３０４は、自ら状態情報を検出するための各種センサーを装備していてもよいし、これらのセンサー類の一部又は全部を備えた外部機器（例えば、ユーザーが身に付けているスマートフォンや腕時計、その他の多機能端末）から通信部３０５（後述）を介して状態情報を取得するようにしてもよい。また、それらの属性情報をユーザーが直接指定若しくは入力できるようにしてもよい。
【００５１】  状態情報取得部３０４は、ユーザーの頭部動作を追跡するために、例えばユーザーの頭部の位置及び姿勢の情報又は姿勢の情報を取得する。ユーザーの頭部動作を追跡するために、状態情報取得部３０４は、例えば、３軸ジャイロ・センサー、３軸加速度センサー、３軸地磁気センサーの合計９軸を検出可能なセンサーとする。また、状態情報取得部３０４は、ＧＰＳ（Ｇｌｏｂａｌ  Ｐｏｓｉｔｉｏｎｉｎｇ  Ｓｙｓｔｅｍ）センサー、ドップラー・センサー、赤外線センサー、電波強度センサーなどのいずれか１つ又は２以上のセンサーをさらに組み合わせて用いてもよい。また、状態情報取得部３０４は、位置姿勢情報の取得に、携帯電話基地局情報やＰｌａｃｅＥｎｇｉｎｅ（登録商標）情報（無線ＬＡＮアクセスポイントからの電測情報）など、各種インフラストラクチャーから提供される情報をさらに組み合わせて用いるようにしてもよい。図３に示す例では、頭部動作追跡のための状態取得部３０４は、画像表示装置３００としてのヘッド・マウント・ディスプレイに内蔵されるが、ヘッド・マウント・ディスプレイに外付けされるアクセサリー部品などで構成するようにしてもよい。後者の場合、外付け接続される状態取得部３０４は、頭部の姿勢情報を例えば回転マトリックスの形式で表現し、Ｂｌｕｅｔｏｏｔｈ（登録商標）通信などの無線通信やＵＳＢ（Ｕｎｉｖｅｒｓａｌ  Ｓｅｒｉａｌ  Ｂｕｓ）のような高速な有線インフェース経由でヘッド・マウント・ディスプレイ本体に送信する。
【００５２】  また、状態情報取得部３０４は、上述したユーザーの頭部動作の追跡の他に、当該画像表示装置３００を装着したユーザーの状態情報として、例えば、ユーザーの作業状態（ヘッド・マウント・ディスプレイ１００の装着の有無）や、ユーザーの行動状態（静止、歩行、走行などの移動状態、手や指先によるジェスチャー、瞼の開閉状態、視線方向、瞳孔の大小）、精神状態（ユーザーが表示画像を観察中に没入しているかなど）、視力（視度）、さらには生理状態を取得する。また、状態情報取得部３０４は、これらの状態情報をユーザーから取得するために、機械スイッチなどからなる装着センサー、ユーザーの顔を撮影する内側カメラ、ジャイロ・センサー、加速度センサー、速度センサー、圧力センサー、体温又は気温を検知する温度センサー、発汗センサー、脈拍センサー、筋電位センサー、眼電位センサー、脳波センサー、呼気センサー、ガス・イオン濃度センサーなどの各種の状態センサー、タイマー（いずれも図示しない）を備えていてもよい。
【００５３】  通信部３０５は、外部機器との通信処理、並びに通信信号の変復調並びに符号化復号処理を行なう。外部機器として、画像を供給する画像出力装置２００を挙げることができる。また、制御部３０１は、外部機器への送信データを通信部３０５から送出する。通信部３０５の構成は任意である。例えば、通信相手である画像出力装置２００との通信に適用する通信プロトコルに従って通信部３０５を構成することができる。本実施形態では、ＤＶＩやＨＤＭＩ（登録商標）、Ｄｉｓｐｌａｙ  ｐｏｒｔなどのインターフェース規格に則って通信部３０５を構成することを想定している。
【００５４】  属性情報記憶部３０６は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの不揮発性メモリーで構成され、属性情報を記憶する。属性情報として、画像表示装置３００が画像を表示する際の解像度やフレームレート、製造業者識別情報（ＶｅｎｄｏｒＩＤ）、製品識別情報（ＰｒｏｄｕｃｔＩＤ）などを含む。このような属性情報を記憶するファイル・フォーマットとしてＥＤＩＤを利用することができるが、特にこれに限定される訳ではない。
【００５５】  本実施形態では、ＥＤＩＤを拡張して、以下に挙げるような、画像表示装置３００が備える画像表示に関する属性情報や、音声出力に関する属性情報、画像表示装置２００のユーザーの属性情報、画像表示装置２００が備えるセンサーに関する属性情報を属性情報記憶部３０６に記憶するものとする。画像表示に関する属性情報として、画像表示装置３００が表示する画像の視野角（ＦＯＶD）も属性情報に含むものとする。
【００５６】（１）画像表示に関する属性情報  ・解像度  ・画像の形状、アスペクト比  ・フレームレート（周波数）  ・視野角（両眼、片眼毎、オーバーラップ量を含む）  ・歪み情報  ・眼間距離や視力・色域、輝度、ガンマ  ・原画像の視野と画像表示装置３００で観察する視野が異なるときに、画像を引き伸ばすか否か  ・テキスト表示にまつわる情報  ・表示位置、面積、フォント、サイズ、カラー、…  ・信号入力から表示されるまでの遅延時間（映像だけに限らず）（２）音声出力に関する属性情報  ・ヘッドフォン又はスピーカーのいずれか  ・ヘッドフォン又はスピーカーの数（３）ユーザーに関する属性情報  ・眼間距離や視力  ・聴力、耳の形状  ・身長、体重、体型、歩き方  ・ユーザー識別情報（暗号化された認識パスワード）  ・ＶＲ酔いのし易さ  ・年齢（子供には立体視出力しない、など）（４）センサーに関する属性情報  ・マイク、内側カメラ、外側カメラ、動きセンサー、アイトラッキング  ・各センサーの有無、個数  ・位置、方向、サンプリングレートや精度などの情報  ・カメラ画角、フレームレート、明るさ、画素数、歪み、色、ガンマ、…  ・頭以外のものの位置情報（手、足、腰、ガンコン、リモコン、…）  ・マーカーでも画像認識でも方法は問わない
【００５７】  画像処理部３０７は、制御部３０１から出力される画像信号に対して画質補正などの信号処理をさらに行なうとともに、表示部３０９の画面に合わせた解像度に変換する。そして、表示駆動部３０８は、表示部３０９の画素を行毎に順次選択するとともに線順次走査して、信号処理された画像信号に基づく画素信号を供給する。
【００５８】  表示部３０９は、例えば有機ＥＬ（Ｅｌｅｃｔｒｏ−Ｌｕｍｉｎｅｓｃｅｎｃｅ）素子や液晶ディスプレイなどのマイクロ・ディスプレイ、あるいは、網膜直描ディスプレイなどのレーザー走査方式ディスプレイで構成される表示パネル（図示しない）を有する。
【００５９】  虚像光学部３１０は、表示部３０９の表示画像を拡大投影して、ユーザーには拡大虚像として観察させる。虚像光学部３１０は、表示部３０９の表示画像を拡大投影して、適当な画角となる拡大虚像としてユーザーに観察させる。虚像光学部３１０は、広視野光学系を備え、例えば画角４５度の拡大虚像をユーザーの瞳に結像し（例えば、特許文献１を参照のこと）、映画館の最も良い席で見るような臨場感を再現する。以下では、ユーザーが観察する拡大虚像の視野角を、ＦＯＶDとする。
【００６０】  音声処理部３１１は、制御部３０１から出力される音声信号に対して音質補正や音声増幅、入力された音声信号などの信号処理をさらに行なう。そして、音声入出力部３１２は、音声処理後の音声を外部出力、並びにマイクロフォン（図示しない）からの音声入力を行なう。
【００６１】  外側カメラ３１３は、例えばヘッド・マウント・ディスプレイ１００本体前面のほぼ中央に配置され（図示しない）、周囲画像を撮影することができる。外側カメラ３１３は、視差情報を利用して、周囲画像の３次元情報を取得できるように、外側カメラ３１３を複数台のカメラで構成することがより好ましい。また、１台のカメラでも、ＳＬＡＭ（Ｓｉｍｕｌｔａｎｅｏｕｓ  Ｌｏｃａｌｉｚａｔｉｏｎ  ａｎｄ  Ｍａｐｐｉｎｇ）画像認識を用いて、カメラを移動させながら撮影を行ない、時間的に前後する複数のフレーム画像を用いて視差情報を算出し（例えば、特許文献２を参照のこと）、算出した視差情報から周囲画像の３次元情報を取得することもできる。
【００６２】  なお、状態情報取得部３０４において視力の情報を取得する方法として、以下を例示することができる。（１）ユーザーが手動で入力する。（２）ユーザーがあらかじめ準備した視力矯正用レンズに関する情報（型番など）を入力し、別途用意されたデータベースと照合する。（３）視力矯正用レンズの型番などの情報をユーザーが手動で入力するのではなく、レンズ側に書き込まれている情報として、状態情報取得部３０４が読み取る。機械的（切り欠きの形や個数など）、電気的、光学的（バーコードのパターンなど）な方法で情報の書き込み並びに読み取りを行なうことができる。（４）レンズを装着した状態でキャリブレーションを行ない、視度を推定したり、歪み補正テーブルを作成したりする。ディスプレイ・パネルに正方格子など既知のキャリブレーション・パターンを表示し、それをユーザーの眼球位置においたカメラで撮影することでひずみパターンを取得し、その逆写像を計算することにより適切な歪み補正テーブルを作成する。
【００６３】  また、ユーザーの視度を矯正するためにレンズ・アタッチメントを用いることができる。この際、状態情報取得部３０４が機械的、電気的、光学的なその他の手段によりレンズ・アタッチメントの存在とその種別を自動的に識別し、ユーザーの視度に関する情報を取得することで、視度に応じた適切な歪み補正テーブルを選択するようにしてもよい。ユーザーがそれらの視度情報を自ら設定することで、同等の効果を得ることもできる。
【００６４】  画像表示装置３００で広視野角の画像を提示する場合、画像を観察するユーザーがＶＲ酔いを起こすことが懸念される。特に、画像表示装置３００がヘッド・マウント・ディスプレイのように、画面がユーザーの顔に固定され、自分視点の画像を観察するように構成されている場合には、ＶＲ酔いを起こし易い。
【００６５】  ＶＲ酔いの原因はさまざまである。図１に示したように画像出力装置２００と画像表示装置３００で構成される画像表示システム１００の場合には、画像出力装置２００が提供する画像の視野角と、画像表示装置３００のユーザーが観察する視野角との不一致が、ＶＲ酔いを起こす主な原因と考えられる。画像出力装置２００が提供する広い範囲の画像を画像表示装置３００側で狭い視野で観察するときや、画像出力装置２００が提供する狭い範囲の画像を画像表示装置３００側で広い視野で観察するときには、歪みが残り、ＶＲ酔いを起こし易い。
【００６６】  そこで、本実施形態に係る画像表示システム１００では、画像出力装置２００と画像表示装置３００の間で画像表示に関する情報を含む属性情報をやり取りし、画像出力装置２００が画像表示装置３００側の画像表示に適したフォーマットに変換した画像を出力することにより、ＶＲ酔いを防止するようにしている。画像の変換処理は、画像出力装置２００内の画像処理部２０４で行なわれる。
【００６７】  画像のフォーマット変換は、例えば、画像出力装置２００が提供する画像の視野角ＦＯＶOと、画像表示装置３００のユーザーが観察する視野角ＦＯＶDを一致させる処理を含む。
【００６８】  図４に示すように、画像出力装置２００から提供する原画像４１の視野角ＦＯＶOの方が画像表示装置３００を装着したユーザーが観察する画像の視野角ＦＯＶDよりも大きいときには（ＦＯＶO＞ＦＯＶD）、画像出力装置２００は、原画像４１から視野角ＦＯＶDの領域４２を切り出して、画像表示装置３００に送出する。
【００６９】  また、図５に示すように、画像表示装置３００から提供する原画像５１の視野角ＦＯＶDが画像出力装置２００を装着したユーザーが観察する画像５２の視野角ＦＯＶO以上のときには（ＦＯＶD≧ＦＯＶO）、画像出力装置２００は原画像５１をそのまま画像表示装置３００に送出する。
【００７０】  そして、画像表示装置３００側では、画像出力装置２００から送られてくる画像のフォーマットに応じた画面表示を行なう。
【００７１】  画像出力装置２００から提供する原画像の視野角ＦＯＶOの方が画像表示装置３００を装着したユーザーが観察する画像の視野角ＦＯＶDよりも大きく（ＦＯＶO＞ＦＯＶD）、画像出力装置２００が原画像から視野角ＦＯＶDの領域を切り出して送出する場合には（図４を参照のこと）、伝送されてくる画像の視野角ＦＯＶTは画像表示装置３００のユーザーが観察する画像の視野角ＦＯＶDと等しくなる。そこで、画像表示装置３００側では、図６に示すように、画像出力装置２００から送られてくる画像６１をそのまま表示パネル３０９に全画面表示する。
【００７２】  また、画像表示装置３００から提供する原画像の視野角ＦＯＶDが画像出力装置２００を装着したユーザーが観察する画像の視野角ＦＯＶO以上のときには（ＦＯＶD≧ＦＯＶO）、画像表示装置３００のユーザーが観察する画像の視野角ＦＯＶDよりも小さい視野角ＦＯＶTから画像が画像出力装置２００から伝送されてくる。
【００７３】  このような場合、画像表示装置３００側では、伝送されてきた視野角ＦＯＶTの画像７１を視野角ＦＯＶDの範囲で表示したときの余剰の領域７２を、図７に示すように、黒で塗り潰す、あるいは、壁紙を表示するようにしてもよい。あるいは、画像表示装置３００側では、図８に示すように、伝送されてきた視野角ＦＯＶTの画像８１を、参照番号８２で示す視野角ＦＯＶDまで引き伸ばして表示パネル３０９に表示する。
【００７４】  伝送されてきた視野角ＦＯＶTの画像を視野角ＦＯＶDの範囲で表示したときの処理方法（図７に示したように、余剰の領域を黒く塗り潰し又は壁紙を表示するか、あるいは、図８に示したように伝送されてきた視野角ＦＯＶTの画像を視野角ＦＯＶDまで引き伸ばして表示するか）は、ユーザーが入力操作部３０２などから指定できるようにしてもよいし、画像表示装置３００においてユーザー属性情報などに基づいて自動選択するようにしてもよい。あるいは、原画像のメタデータなどに処理方法が規定されている場合もある。
【００７５】  画像出力装置２００において図４並びに図５に示したような処理を実行し、画像表示装置３００において図６〜図８に示したような処理を実行するには、画像出力装置２００と画像表示装置３００間で、互いの属性情報記憶部２０２、３０６に記憶されている属性情報を交換する必要がある。例えば、ＥＤＩＤを伝送するプロトコルとしてＤＤＣ（Ｄｉｓｐｌａｙ  Ｄａｔａ  Ｃｈａｎｎｅｌ）が知られているが、このプロトコルを用いて属性情報の交換を行なうようにしてもよい。勿論、属性情報の交換はＤＤＣには限定されず、その他のプロトコルを用いてケーブル４００を介して属性情報の交換を行なうようにしてもよい。
【００７６】  図９には、画像出力装置２００から画像を送出して画像表示装置３００で表示する、画像表示システム１００の動作シーケンス例を示している。
【００７７】  ＤＶＩ、ＨＤＭＩ（登録商標）、又はＤｉｓｐｌａｙ  ｐｏｒｔのケーブル４００を使って、画像表示装置３００を画像出力装置２００に接続すると、ケーブル４００を介して画像表示装置３００に電力が供給され（ＳＥＱ９０１）、画像表示装置３００は起動する。
【００７８】  画像出力装置２００は、画像表示装置３００から、ユーザーが観察する視野角ＦＯＶD、表示パネル３０９の画面形状、解像度といった画像表示に関する属性情報を取得する（ＳＥＱ９０２）。
【００７９】  画像表示に関する属性情報は、画像表示装置３００内の属性情報記憶部３０６に記憶されている。属性情報は例えばＥＤＩＤフォーマットで記述されており、画像出力装置２００は例えばＤＤＣプロトコルに従って必要な属性情報を取得することができる。勿論、属性情報を記述するファイル・フォーマットは限定されず、また、画像出力装置２００は他のプロトコルを用いて属性情報を取得するようにしてもよい。
【００８０】  画像出力装置２００は、画像表示装置３００から取得した属性情報に基づいて、画像表示装置３００に提供する画像のフォーマット変換処理を画像処理部２０４で行なう（ＳＥＱ９０３）。そして、画像出力装置２００は、フォーマット変換処理後の画像を画像表示装置３００に送出する（ＳＥＱ９０４）。
【００８１】  そして、画像表示装置３００は、画像出力装置２００から受信した画像に対し、フォーマットに応じた処理を行なって、表示パネル３０９に表示する（ＳＥＱ９０５）。
【００８２】  図１０には、図９中のＳＥＱ９０３で画像出力装置２００において実行される、画像のフォーマット変換処理の手順をフローチャートの形式で示している。画像のフォーマット変換は、画像出力装置２００が提供する画像の視野角ＦＯＶOと画像表示装置３００のユーザーが観察する視野角ＦＯＶDを一致させる処理であり、画像処理部２０４で実行されるものとする。
【００８３】  まず、通信部２０５を介して、画像表示装置３００のユーザーが観察する視野角ＦＯＶDを画像表示装置３００から取得する（ステップＳ１００１）。そして、画像処理部２０４は、画像出力装置２００が提供する画像の視野角ＦＯＶOと画像表示装置３００のユーザーが観察する視野角ＦＯＶDを比較する（ステップＳ１００２）。
【００８４】  画像出力装置２００から提供する原画像の視野角ＦＯＶOの方が画像表示装置３００を装着したユーザーが観察する画像の視野角ＦＯＶDよりも大きいときには（ステップＳ１００２のＹｅｓ）、画像処理部２０４は、原画像から視野角ＦＯＶDの領域を切り出す（ステップＳ１００３）。
【００８５】  一方、画像表示装置３００から提供する原画像の視野角ＦＯＶDが画像出力装置２００を装着したユーザーが観察する画像の視野角ＦＯＶO以上のときには（ステップＳ１００２のＮｏ）、画像処理部２０４は、原画像の処理を行なわない。
【００８６】  そして、上記のような処理を行なった後、画像を通信部２０５からケーブル４００を介して画像表示装置３００に送出する（ステップＳ１００４）。
【００８７】  また、図１２には、画像出力装置２００から画像を送出して画像表示装置３００で表示する、画像表示システム１００の他の動作シーケンス例を示している。
【００８８】  ＤＶＩ、ＨＤＭＩ（登録商標）、又はＤｉｓｐｌａｙ  ｐｏｒｔのケーブル４００を使って、画像表示装置３００を画像出力装置２００に接続すると、ケーブル４００を介して画像表示装置３００に電力が供給され（ＳＥＱ１２０１）、画像表示装置３００は起動する。
【００８９】  画像表示装置３００は、状態情報取得部３０４が取得したユーザーの視力（視度）の情報を、画像出力装置２００に伝送する（ＳＥＱ１２０２）。視力の情報の取得方法については、既に説明した通りである。
【００９０】  画像出力装置２００は、画像表示装置３００から取得した視力情報に応じて歪み補正テーブルを切り替えて、その歪み補正テーブルに基づいて画像表示装置３００に提供する画像の変換処理を画像処理部２０４で行なう（ＳＥＱ１２０３）。
【００９１】  そして、画像出力装置２００は、変換処理後の画像を画像表示装置３００に送出し（ＳＥＱ１２０４）、画像表示装置３００は画像出力装置２００から受信した画像を表示パネル３０９に表示する（ＳＥＱ１２０５）。
【００９２】  図１３には、図１２中のＳＥＱ１２０３で画像出力装置２００において実行される、歪み補正テーブルの切り替え及び画像変換の処理の手順をフローチャートの形式で示している。
【００９３】  画像表示装置３００からユーザーの視力情報を取得できたときには（ステップＳ１３０１のＹｅｓ）、その視力情報に応じた歪み補正テーブルを読み出す（ステップＳ１３０２）。そして、読み出した歪み補正テーブルを用いて画像の変換処理を行ない（ステップＳ１３０３）、変換処理した後の画像を画像表示装置３００に送出する（ステップＳ１３０４）。
【００９４】  一方、画像表示装置３００からユーザーの視力情報を取得できなかったときには（ステップＳ１３０１のＮｏ）、画像出力装置２００は、ユーザーの視力に応じた変換処理を行なうことなく、画像を画像表示装置３００に送出する（ステップＳ１３０４）。
【００９５】  画像表示装置３００として適用されるヘッド・マウント・ディスプレイは、通常、接眼レンズ（図３中の虚像光学部３１０など）を装備している。また、ヘッド・マウント・ディスプレイを着用するユーザーの中には、視力矯正用メガネなどの追加レンズを使用する場合が想定される。したがって、歪み補正テーブルは、ヘッド・マウント・ディスプレイの接眼レンズに起因する歪みと、追加レンズに起因する歪みからなる、合成光学系全体に対する歪みを打ち消すための情報が含まれている。
【００９６】  ヘッド・マウント・ディスプレイを着用するユーザーが、視力矯正用メガネを使用していない場合には、ヘッド・マウント・ディスプレイの接眼レンズに起因する歪みのみを補正する歪み補正テーブルを読み出して、画像の変換処理を行なうようにすればよい。また、ヘッド・マウント・ディスプレイの接眼レンズに起因する歪みのための歪み補正テーブルと、視力矯正メガネに起因する歪みのための歪み補正テーブルを別々に格納し、画像変換処理の際には適切な歪み補正テーブルの組み合わせを読み出しこれらを合成した歪み補正テーブルを用いて画像変換処理するようにしてもよい。
【００９７】  図１１には、図９中のＳＥＱ９０５（若しくは図１２中のＳＥＱ１２０５）で画像表示装置３００において実行される画像の表示処理の手順をフローチャートの形式で示している。図示の処理は、制御部３０１又は画像処理部３０７で実行されるものとする。
【００９８】  まず、通信部３０５を介して、画像出力装置２００が提供する画像の視野角ＦＯＶOを画像出力装置２００から取得する（ステップＳ１１０１）。但し、視野角ＦＯＶOではなく、出力する画像にどのようなフォーマット変換処理を適用したかを示す情報を取得するようにしてもよい。
【００９９】  そして、画像出力装置２００から提供する原画像の視野角ＦＯＶOと画像表示装置３００を装着したユーザーが観察する画像の視野角ＦＯＶDを比較する（ステップＳ１１０２）。
【０１００】  画像出力装置２００から提供する原画像の視野角ＦＯＶOの方が画像表示装置３００を装着したユーザーが観察する画像の視野角ＦＯＶDよりも大きい場合（ステップＳ１１０２のＹｅｓ）、画像出力装置２００が原画像から視野角ＦＯＶDの領域を切り出して送出したこと、すなわち、伝送されてくる画像の視野角ＦＯＶTは画像表示装置３００のユーザーが観察する画像の視野角ＦＯＶDと等しくなることが分かる。そこで、制御部３０１は、図６に示すように、画像出力装置２００から送られてくる画像をそのまま表示パネル３０９に全画面表示するように、画像処理部３０７に指示する（ステップＳ１１０３）。
【０１０１】  一方、画像表示装置３００から提供する原画像の視野角ＦＯＶDが画像出力装置２００を装着したユーザーが観察する画像の視野角ＦＯＶO以上のときには（ステップＳ１１０２のＮｏ）、画像出力装置２００から伝送されてくる画像の視野角ＦＯＶTは画像表示装置３００のユーザーが観察する画像の視野角ＦＯＶDよりも小さいことが分かる。そこで、制御部３０１は、ユーザーが指定した処理、画像表示装置３００で自動選択した処理、又は、現画像で指定されている処理を実行するように画像処理部３０７に指示する。そして、画像処理部３０７で処理した後の画像を表示パネル３０９に表示する（ステップＳ１１０４）。
【０１０２】  ステップＳ１１０４では、画像処理部３０７は、図７に示したように、伝送されてきた視野角ＦＯＶTの画像を視野角ＦＯＶDの範囲で表示したときの余剰の領域を、黒で塗り潰したり壁紙を表示したりする。あるいは、画像処理部３０７は、図８に示したように、伝送されてきた視野角ＦＯＶTの画像を視野角ＦＯＶDまで引き伸ばして表示パネル３０９に表示する。
【０１０３】  このように、本実施形態に係る画像表示システム１００によれば、画像出力装置２００側で提供する画像の視野角ＦＯＶOと画像表示装置３００が表示する画像の視野角ＦＯＶDの不一致を補正することにより、ＶＲ酔いを抑制しながら、自分視点の画像や広視野角の画像を表示することができる。
【０１０４】  また、ユーザーは、自分が装着する画像表示装置３００の視野角ＦＯＶDを調べて画像出力装置２００に設定するような操作を行なう必要はなく、画像出力装置２００から送られてくる画像を常に適切な視野角で視聴することができる。この結果、ユーザーのＶＲ酔いを大きく軽減することができる。
【０１０５】  また、本実施形態に係る画像表示システム１００によれば、画像表示装置３００に搭載されている接眼レンズに起因する歪みと視力矯正用メガネに起因する歪みをともに打ち消すよう補正された画像を画像出力装置２００側が画像表示装置３００に提供することにより、ＶＲ酔いを抑制しながら、自分視点の画像や広視野角の画像を表示することができる。
【先行技術文献】
【特許文献】
【０１０６】
【特許文献１】特開２０００−３３９４９０号公報
【特許文献２】特開２００８−３０４２６８号公報
【産業上の利用可能性】
【０１０７】  以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１０８】  本明細書では、画像表示装置３００がヘッド・マウント・ディスプレイとして構成される場合の実施形態を中心に説明してきたが、本明細書で開示する技術の要旨はこれに限定されるものではない。画像表示装置３００がヘッド・アップ・ディスプレイや大画面ディスプレイを始めさまざまな表示装置であっても、同様に本明細書で開示する技術を適用することができる。【０１０９】  要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。【０１１０】  なお、本明細書の開示の技術は、以下のような構成をとることも可能である。（１）画像を表示する表示部と、  前記表示部における画像表示の属性を含む属性情報を記憶する属性情報記憶部と、  画像出力装置と通信する通信部と、を具備し、  前記画像出力装置に前記属性情報を送信するとともに、前記画像出力装置が前記属性情報に基づいて変換した画像を受信して、前記表示部で表示する、画像表示装置。（２）前記表示部が表示する画像を観察する観察者の顔又は頭部に装着して用いられる、上記（１）に記載の画像表示装置。（３）前記表示部は、画像を表示する表示パネルと、前記表示パネルに表示した画像を拡大投影する虚像光学部を備える、上記（２）に記載の画像表示装置。（４）前記属性情報記憶部は、前記表示部が表示する画像が持つ第１の視野角の情報を記憶し、  前記画像出力装置に前記第１の視野角の情報を送信するとともに、前記画像出力装置が前記第１の視野角に基づいて変換した画像を受信して、前記表示部で表示する、上記（１）に記載の画像表示装置。（５）前記画像出力装置側で原画像の第２の視野角と前記第１の視野角との相違に基づいて原画像を変換した画像を受信して、前記表示部で表示する、上記（４）に記載の画像表示装置。（６）前記第２の視野角が前記第１の視野角よりも大きいときに、前記画像出力装置が前記原画像から前記第１の視野角の領域を切り出した画像を受信して、前記表示部で表示する、上記（５）に記載の画像表示装置。（７）前記第１の視野角が前記第２の視野角以上のときに、前記画像出力装置から前記原画像を受信して、前記表示部で表示する、上記（５）に記載の画像表示装置。（８）前記画像出力装置から受信した画像を、前記第１の視野角と前記第２の視野角の関係に基づいて前記表示部で表示する、上記（５）に記載の画像表示装置。（９）前記第２の視野角が前記第１の視野角よりも大きく、前記原画像から前記第１の視野角の領域を切り出された画像を、前記表示部で全画面表示する、上記（８）に記載の画像表示装置。（１０）前記第１の視野角よりも小さい前記第２の視野角からなる画像を前記表示部で表示するときに、余剰の領域を黒で塗り潰し又は壁紙を表示する、上記（８）に記載の画像表示装置。（１１）前記第１の視野角より��小さい前記第２の視野角からなる画像を前記第１の視野角まで引き伸ばして前記表示部で表示する、上記（８）に記載の画像表示装置。（１２）記第１の視野角よりも小さい前記第２の視野角からなる画像を前記画像出力装置から受信したときに、観察者からの指示、観察者の属性情報、又は原画像に付加された指示に基づいた方法に従って前記表示部で表示する、上記（８）に記載の画像表示装置。（１３）画像表示の属性を含む属性情報を画像出力装置に送信するステップと、  前記属性情報に基づいて変換した画像を前記画像出力装置から受信するステップと、  受信した画像を表示するステップと、を有する画像表示方法。（１４）画像表示装置と通信する通信部と、  前記画像表示装置に提供するための原画像を取得する画像取得部と、  前記原画像を処理する画像処理部と、を具備し、  画像表示の属性を含む属性情報を前記画像表示装置から受信し、前記画像処理部が前記属性情報に基づいて前記原画像を変換し、変換後の画像を前記画像表示装置に送信する、画像出力装置。（１５）前記画像表示装置が表示する画像が持つ第１の視野角の情報を受信し、前記画像処理部が前記原画像の第２の視野角と前記第１の視野角との相違に基づいて前記原画像を変換し、変換後の画像を前記画像表示装置に送信する、上記（１４）に記載の画像出力装置。（１６）前記画像処理部は、前記第２の視野角が前記第１の視野角よりも大きいときに、前記原画像から前記第１の視野角の領域を切り出す、上記（１５）に記載の画像出力装置。（１７）前記画像処理部は、前記第１の視野角が前記第２の視野角以上のときには、視野角の相違に基づく原画像の変換を行なわない、上記（１５）に記載の画像出力装置。（１８）前記画像表示装置は前記属性情報をＥＤＩＤ又はその他の所定のデータ・フォーマットに従って記憶しており、  ＤＤＣ又はその他の所定のプロトコルに従って前記通信部を介して前記画像表示装置から前記属性情報を取得する、上記（１４）に記載の画像出力装置。（１９）画像表示装置に提供するための原画像を取得するステップと、  画像表示の属性を含む属性情報を前記画像表示装置から受信するステップと、  前記属性情報に基づいて前記原画像を変換するステップと、  変換後の画像を前記画像表示装置に送信するステップと、を有する画像出力方法。（２０）画像表示の属性を含む属性情報を持つ画像表示装置と、  前記画像表示装置から取得した属性情報に基づいて変換した画像を前記画像表示装置に出力する画像出力装置と、を具備する画像表示システム。
【符号の説明】
【０１１１】  １００…画像表示システム  ２００…画像出力装置  ２０１…制御部、２０２…属性情報記憶部、２０３…画像取得部  ２０４…画像処理部、２０５…通信部  ３００…画像表示装置  ３０１…制御部、３０１Ａ…ＲＯＭ、３０１Ｂ…ＲＡＭ  ３０２…入力操作部、３０３…リモコン受信部  ３０４…状態情報取得部、３０５…通信部、３０６…属性情報記憶部  ３０７…画像処理部、３０８…表示駆動部  ３０９…表示部、３１０…虚像光学部  ３１１…音声処理部、３１２…音声入出力部、３１３…外側カメラ
【図１】
2015107817.tif 000003
【図２】
2015107817.tif 000004
【図３】
2015107817.tif 000005
【図８】
2015107817.tif 000006
【図９】
2015107817.tif 000007
【図１０】
2015107817.tif 000008
【図１１】
2015107817.tif 000009
【図１２】
2015107817.tif 000010
【図１３】
2015107817.tif 000011
【図４】
2015107817.tif 000012
【図５】
2015107817.tif 000013
【図６】
2015107817.tif 000014
【図７】
2015107817.tif 000015
【国際調査報告】
2015107817.tif 000016
2015107817.tif 000017